(57)【要約】【課題】互いに異なる装置間における情報の提供を可能とする情報提供サーバ、情報提供方法及び情報提供プログラム等を提供する。【解決手段】情報提供サーバ３は、端末装置２Ｂから送信される固有情報を受信すると、受信した固有情報に基づいて、当該固有情報に対応付けられたＰＣ用ＵＲＬを端末装置２Ｂへ送信する。【選択図】図１
2011076500.tif 000002
【特許請求の範囲】
【請求項１】
ネットワークを介して携帯機器及び端末装置に、情報を提供する情報提供サーバであって、
携帯機器の第１の固有情報を含む別閲覧端末用提供情報登録要求を受信すると、別閲覧端末用提供情報を作成する別閲覧端末提供情報作成手段と、
作成した別閲覧端末提供情報のアドレス情報（端末用アドレス情報）と、前記携帯機器の第１の固有情報とを、対応付けて記憶する別閲覧端末提供情報登録手段と、
前記端末装置から前記第１の固有情報を受信する端末装置情報受信手段と、
受信した前記第１の固有情報に基づいて、前記携帯機器の第１の固有情報に対応付けられた端末用アドレス情報を検索する検索手段と、
前記検索された端末用アドレス情報を前記端末装置へ送信する別閲覧端末提供情報送信手段と、
を備えることを特徴とする情報提供サーバ。
【請求項２】
請求項１に記載の情報提供サーバであって、
前記第１の固有情報は携帯機器にユニークに付与され、非接触リーダライタにより携帯機器から読取ることが可能な携帯機器の識別情報であって、
携帯機器の第１の固有情報及びこの固有情報を読取った非接触リーダライタの固有情報の二つを含む提供情報リクエストを受信すると、携帯機器の第１の固有情報を含んだ非接触リーダライタの固有情報に応じた携帯用の提供情報へのアドレス情報を返信する提供情報アドレス送信手段と、
携帯機器の第１の固有情報を含んだ携帯用の提供情報へのアドレス情報に基づくアクセス要求を受信すると、前記携帯機器の第１の固有情報が埋め込まれかつ別端末で閲覧する提供情報の作成及び登録を依頼するためのアドレス情報が埋め込まれた別閲覧端末選択インターフェースを含んだ提供情報をアクセス要求元へ返信する提供情報送信手段と、
を備えることを特徴とする情報提供サーバ。
【請求項３】
請求項１に記載の情報提供サーバであって、
前記携帯機器から送信される提供情報の要求に応じて、当該提供情報を当該携帯機器へ送信する携帯用提供情報送信手段と、
前記携帯機器から送信される、携帯機器にユニークに付与され、前記第１の固有情報とは異なる携帯機器の第２の固有情報を受信する第２固有情報受信手段と、
前記携帯機器とは別の端末装置で閲覧させるための端末用アドレス情報と、前記提供情報を受信した携帯機器の第２の固有情報とを、対応付けて記憶する第２記憶手段と、
、携帯機器の第１の固有情報および第２固有情報とを対応付けて記憶する第３記憶手段と、
受信した前記第１の固有情報に基づいて、前記第３記憶手段を参照して対応する第２の固有情報を検索し、さらに第２記憶手段を参照して前記第２の固有情報に対応付けられた端末用アドレス情報を検索する第２検索手段と、
を備えることを特徴とする情報提供サーバ。
【請求項４】
請求項１に記載の情報提供サーバであって、
前記端末装置情報受信手段が受信する携帯機器の第１の固有情報は、非接触リーダライタによって読取られた携帯電話機の固有情報を、前記端末装置を介して、送信された情報であることを特徴とする情報提供サーバ。
【請求項５】
端末装置に、情報を提供する情報提供サーバであって、
携帯機器の第１の固有情報及びこの固有情報を読取った非接触リーダライタの固有情報の二つを含む提供情報リクエストを受信する提供情報要求受信手段と、
要求された提供情報を前記携帯機器とは別の端末装置で閲覧させるための別閲覧端末用提供情報を作成する別閲覧端末提供情報作成手段と、
作成した別閲覧端末提供情報のアドレス情報と、前記携帯機器の第１の固有情報とを、対応付けて記憶する別閲覧端末提供情報登録手段と、
前記端末装置から前記第１の固有情報を受信する端末装置情報受信手段と、
受信した前記第１の固有情報に基づいて、前記携帯機器の第１の固有情報に対応付けられた端末用アドレス情報を検索する検索手段と、
前記検索された端末用アドレス情報を前記端末装置へ送信する別閲覧端末提供情報送信手段と、
を備えることを特徴とする情報提供サーバ。
【請求項６】
携帯機器及び端末装置に、ネットワークを介してアクセス可能な情報提供サーバにおける情報提供方法であって、
携帯機器に閲覧情報を送信するステップと、
携帯機器の第１の固有情報を含む別閲覧端末用提供情報登録要求を受信するステップと、
前記携帯機器に送信した情報に関連する情報を前記携帯機器とは別の端末装置で閲覧させるための情報を作成する提供情報作成ステップと、
作成した情報のアドレス情報と、前記携帯機器の第１の固有情報とを対応付けて記憶する記憶ステップと、
前記端末装置から送信される前記携帯機器の第１の固有情報を受信する端末装置情報受信ステップと、
受信した第１の固有情報に対応付けられた端末用アドレス情報を検索する検索ステップと、
前記検索された端末用アドレス情報を前記端末装置へ送信する送信ステップと、
を有することを特徴とする情報提供方法。
【請求項７】
外部からネットワークを介してアクセス可能なコンピュータを請求項１から請求項５のいずれか一項に記載の情報提供サーバとして機能させるコンピュータプログラム。
【発明の詳細な説明】
【技術分野】
【０００１】
本発明は、情報提供サーバ、情報提供方法及び情報提供プログラム等に関するものであり、より詳細には、例えば、互いに異なる装置間における情報の提供を可能とする情報提供サーバ、情報提供方法及び情報提供プログラム等の技術分野に関する。
【背景技術】
【０００２】
近年、通信ネットワーク網の高速大容量化及びインフラ整備の充実により、携帯電話機等に代表されるモバイル端末は、様々な形態の情報を、場所を選ぶことなく、様々な提供手段によって受信できるようになっている。
【０００３】
例えば、特許文献１では、いわゆるＳｉｔｅＫｉｃｋｅｒ（登録商標）による情報配信システムに係る発明が開示されている。ＳｉｔｅＫｉｃｋｅｒとは、おサイフケータイ（登録商標）向けの情報配信システムであり、非接触リーダライタとＵＲＬ管理サーバで構成されている。携帯電話機の利用者がおサイフケータイを非接触リーダライタに翳すと、当該非接触リーダライタに関連付けて登録されたＵＲＬを当該携帯電話機へ送信する。携帯電話機は、前記ＵＲＬを受信すると、かかる携帯電話機の表示画面上に当該ＵＲＬを表示する。そして、携帯電話機の利用者が、かかる携帯電話機の操作キーを操作し、送信されたＵＲＬを選択する。すると、携帯電話機の表示部に、送信されたＵＲＬが示す情報が表示されるようになっている。このように、特許文献１に記載された発明によって、非接触リーダライタの設置する場所や、時間に応じて、利用者は様々な情報の提供を受けることができる。
【先行技術文献】
【特許文献】
【０００４】
【特許文献１】特開２００８−２１０３６８号公報
【発明の概要】
【発明が解決しようとする課題】
【０００５】
しかし、特許文献１に記載された発明は、携帯電話機のみに情報を提供するサービスである。従って、携帯電話機の利用者は、前記携帯電話機に提供された情報と同一の内容の情報を、例えば、自宅の端末装置等において提供され、又は閲覧等することは出来なかった。
【０００６】
また、自宅の端末装置によって、携帯電話機に提供される情報と同一の内容を示す情報を閲覧するために、かかる情報を自宅の端末装置で閲覧可能な形式で提供するサーバを立てることも考えられる。
【０００７】
しかしながら、携帯電話機の利用者が、自宅の端末装置を用いて、外出先等で閲覧した上記情報の中から特定の情報にアクセスするには、かかる情報を検索するために多くの時間及び操作等を要する等、当該利用者の煩に耐えないとの問題点が生ずる。
【０００８】
そこで、本発明はこのような問題等に鑑みてなされたものであり、その目的の一例は、
一の装置において提供された情報のうち、利用者が他の装置において提供を望む当該情報を当該他の装置に対して提供することにより、互いに異なる装置間における情報の提供を可能とする情報提供サーバ、情報提供方法及び情報提供プログラム等を提供することを課題とする。
【課題を解決するための手段】
【０００９】
上記課題を解決するため、請求項１に記載の発明は、ネットワークを介して携帯機器及び端末装置に、情報を提供する情報提供サーバであって、携帯機器の第１の固有情報を含む別閲覧端末用提供情報登録要求を受信すると、別閲覧端末用提供情報を作成する別閲覧端末提供情報作成手段と、作成した別閲覧端末提供情報のアドレス情報（端末用アドレス情報）と、前記携帯機器の第１の固有情報とを、対応付けて記憶する別閲覧端末提供情報登録手段と、前記端末装置から前記第１の固有情報を受信する端末装置情報受信手段と、受信した前記第１の固有情報に基づいて、前記携帯機器の第１の固有情報に対応付けられた端末用アドレス情報を検索する検索手段と、前記検索された端末用アドレス情報を前記端末装置へ送信する別閲覧端末提供情報送信手段と、を備えることを特徴とする。
【００１０】
この発明によれば、情報提供サーバは、前記携帯機器から送信される前記携帯機器の第１の固有情報を含む別閲覧端末用提供情報登録要求を受信すると、別閲覧端末用提供情報を作成してこれに第１の固有情報を対応付けて記憶する。そして後刻に受信した前記第１の固有情報に基づいて、前記携帯機器の第１の固有情報に対応付けられた端末用アドレス情報を検索し、前記前記検索された端末用アドレス情報を前記端末装置へ送信する。
【００１１】
従って、一の装置において提供された情報のうち、利用者が他の装置において提供を望む当該情報を当該他の装置に対して提供することにより、互いに異なる装置間における情報の提供を可能とする。
【００１２】
請求項２に記載の発明は、請求項１に記載の情報提供サーバであって、前記第１の固有情報は携帯機器にユニークに付与され、非接触リーダライタにより携帯機器から読取ることが可能な携帯機器の識別情報であって、携帯機器の第１の固有情報及びこの固有情報を読取った非接触リーダライタの固有情報の二つを含む提供情報リクエストを受信すると、携帯機器の第１の固有情報を含んだ非接触リーダライタの固有情報に応じた携帯用の提供情報へのアドレス情報を返信する提供情報アドレス送信手段と、携帯機器の第１の固有情報を含んだ携帯用の提供情報へのアドレス情報に基づくアクセス要求を受信すると、前記携帯機器の第１の固有情報が埋め込まれかつ別端末で閲覧する提供情報の作成及び登録を依頼するためのアドレス情報が埋め込まれた別閲覧端末選択インターフェースを含んだ提供情報をアクセス要求元へ返信する提供情報送信手段と、を備えることを特徴とする。
【００１３】
この発明によれば、情報提供サーバは、非接触リーダライタの固有情報に応じて提供する情報を差替えることができることから非接触リーダライタ装置が設置される場所に応じた情報を提供することが出来る。
【００１４】
請求項３に記載の発明は、  請求項１に記載の情報提供サーバであって、前記携帯機器から送信される提供情報の要求に応じて、当該提供情報を当該携帯機器へ送信する携帯用提供情報送信手段と、前記携帯機器から送信される、携帯機器にユニークに付与され、前記第１の固有情報とは異なる携帯機器の第２の固有情報を受信する第２固有情報受信手段と、前記携帯機器とは別の端末装置で閲覧させるための端末用アドレス情報と、前記提供情報を受信した携帯機器の第２の固有情報とを、対応付けて記憶する第２記憶手段と、
、携帯機器の第１の固有情報および第２固有情報とを対応付けて記憶する第３記憶手段と、受信した前記第１の固有情報に基づいて、前記第３記憶手段を参照して対応する第２の固有情報を検索し、さらに第２記憶手段を参照して前記第２の固有情報に対応付けられた端末用アドレス情報を検索する第２検索手段と、を備えることを特徴とする。
【００１５】
請求項４に記載の発明は、請求項１に記載の情報提供サーバであって、前記端末装置情報受信手段が受信する携帯機器の第１の固有情報は、非接触リーダライタによって読取られた携帯電話機の固有情報を、前記端末装置を介して、送信された情報であることを特徴とする。
【００１６】
請求項５に記載の発明は、端末装置に、情報を提供する情報提供サーバであって、携帯機器の第１の固有情報及びこの固有情報を読取った非接触リーダライタの固有情報の二つを含む提供情報リクエストを受信する提供情報要求受信手段と、要求された提供情報を前記携帯機器とは別の端末装置で閲覧させるための別閲覧端末用提供情報を作成する別閲覧端末提供情報作成手段と、作成した別閲覧端末提供情報のアドレス情報と、前記携帯機器の第１の固有情報とを、対応付けて記憶する別閲覧端末提供情報登録手段と、前記端末装置から前記第１の固有情報を受信する端末装置情報受信手段と、受信した前記第１の固有情報に基づいて、前記携帯機器の第１の固有情報に対応付けられた端末用アドレス情報を検索する検索手段と、前記検索された端末用アドレス情報を前記端末装置へ送信する別閲覧端末提供情報送信手段と、を備えることを特徴とする。
【００１７】
請求項６に記載の発明は、携帯機器及び端末装置に、ネットワークを介してアクセス可能な情報提供サーバにおける情報提供方法であって、携帯機器に閲覧情報を送信するステップと、携帯機器の第１の固有情報を含む別閲覧端末用提供情報登録要求を受信するステップと、前記携帯機器に送信した情報に関連する情報を前記携帯機器とは別の端末装置で閲覧させるための情報を作成する提供情報作成ステップと、作成した情報のアドレス情報と、前記携帯機器の第１の固有情報とを対応付けて記憶する記憶ステップと、前記端末装置から送信される前記携帯機器の第１の固有情報を受信する端末装置情報受信ステップと、受信した第１の固有情報に対応付けられた端末用アドレス情報を検索する検索ステップと、前記検索された端末用アドレス情報を前記端末装置へ送信する送信ステップと、を有することを特徴とする。
【００１８】
請求項７に記載の発明は、外部からネットワークを介してアクセス可能なコンピュータを請求項１から請求項５のいずれか一項に記載の情報提供サーバとして機能させることを特徴とする。
【発明の効果】
【００１９】
以上のように、本発明によれば、情報提供サーバは、前記端末装置から送信される前記携帯機器の固有情報を受信すると、受信した前記携帯機器の固有情報に基づいて、前記携帯機器の固有情報に対応付けられた端末用アドレス情報を検索し、前記検索された端末用アドレス情報を前記端末装置へ送信するように構成したので、一の装置において提供された情報のうち、利用者が他の装置において提供を望む当該情報を当該他の装置に対して提供することにより、互いに異なる装置間における情報の提供を可能とする。
【図面の簡単な説明】
【００２０】
【図１】本実施形態に係る情報提供システムの概要構成例を示す図である。
【図２】携帯電話機４内の機能ブロックの一例を示す概念図である。
【図３】第１実施形態に係る情報提供システムＳの処理及び情報の流れ等を示すシーケンス図である。
【図４】第１実施形態に係る情報提供システムＳのＰＣ用ＵＲＬ登録依頼を送信するまで（店頭（現地））についての動作例を示す概念図である。
【図５】第１実施形態に係る情報提供システムＳの端末装置２ＢがＰＣ用ＵＲＬへアクセスし表示するまでの動作例を示す概念図である。
【図６】第２実施形態に係る情報提供システムＳの処理及び情報の流れ等を示すシーケンス図である。
【図７】第２実施形態に係る情報提供システムＳのＰＣ用ＵＲＬ登録依頼を送信するまでについての動作例を示す概念図である。
【図８】第２実施形態に係る情報提供システムＳの端末装置２ＢがＰＣ用ＵＲＬへアクセスし表示するまでの動作例を示す概念図である。
【発明を実施するための形態】
【００２１】
以下、本発明を実施するための最良の実施形態について、図面に基づいて説明する。
【００２２】
なお、以下に説明する実施の形態は、情報提供システムに対して本願を適用した場合の実施形態である。
【００２３】
［１．情報提供システムの構成及び機能］
先ず、図１を参照して、本実施形態に係る情報提供システムの構成及び機能について説明する。
【００２４】
図１は、本実施形態に係る情報提供システムの概要構成例を示す図である。
【００２５】
図１に示すように、情報提供システムＳは、非接触リーダライタ１Ａ及び１Ｂ、端末装置２Ａ及び２Ｂ、情報提供サーバ３、データベース（ＤＢ）３Ａ、及び携帯電話機４（本願の携帯機器の一例）等を備えて構成されている。なお、通信手段の一例としてのネットワークＮＷは、インターネット、専用通信回線（例えば、ＣＡＴＶ（Community Antenna Television）回線）、移動体通信網（基地局等を含む）、及びゲートウェイ等により構築されている（通信プロトコルにＴＣＰ／ＩＰ（Transmission Control Protocol/Internet Protocol）等を採用）。
【００２６】
なお、図１の例では、説明の便宜上、非接触リーダライタ１Ａ及び端末装置２Ａは店頭Ｔに、非接触リーダライタ２Ｂ及び端末装置２Ｂは自宅Ｕに夫々一つずつ示されている。しかし、非接触リーダライタ１Ａ及び端末装置２Ａは、商品やサービスが提供される多数の店舗等の店頭Ｔに設置されるようにしてもよい。また、非接触リーダライタ１Ｂ及び端末装置２Ｂは、情報の提供を望む利用者毎に多数存在する。また、携帯電話機４も、上記利用者毎に多数存在する。また、管理サーバ３及びデータベース３Ａも多数存在するようにしてもよい。
【００２７】
［１−１．非接触リーダライタ１Ａ（１Ｂ）及び端末装置２Ａ（２Ｂ）の構成及び機能］
非接触リーダライタ１Ａ（１Ｂ）（以下、代表して「非接触リーダライタ１Ａ」とする。）は、アンテナ及び電子回路基板（ＣＰＵ、ＲＡＭ、ＲＯＭ（各種データ及び非接触リーダライタ１Ａの動作を担うプログラムを予め記憶）等が実装）等から構成されたＲＦＩＤリーダライタである。この非接触リーダライタ１Ａは、例えば、非接触ＩＣカード技術である公知のFeliCa（登録商標）技術を採用しており、当該FeliCa技術を採用したＩＣチップ（以下、「非接触ＩＣチップ」という）及びアンテナが搭載された携帯機器からのデータの読取り及び当該携帯機器へのデータの書込みを非接触で行うことができるＲＦＩＤリーダライタである。なお、本発明で用いる非接触ＩＣカード技術としては、FeliCaに限定されるものではなく、例えば、Mifare（登録商標）、NFC（Near  Field  Communication）（登録商標）又は、eLWISE（エルワイズ）（登録商標）等を適用することもできる。なお、携帯機器としては、例えば、携帯電話機、ＰＤＡ、ポータブルプレイヤー等を適用可能であるが、本実施形態においては、携帯電話機４を適用する。
【００２８】
より具体的に、非接触リーダライタ１Ａ（ＣＰＵ）は、携帯電話機４が所定距離（例えば、10cm程度）内に近づくと当該携帯電話機（非接触ＩＣチップ）４をアンテナを介して検知（このとき、非接触リーダライタ１Ａと携帯電話機（非接触ＩＣチップ）４との間で相互認証が行われる）し、当該非接触ＩＣチップに電波（例えば13.56MHz）を発信することで非接触ＩＣチップに電力を供給（電磁誘導による）し、キャリアの変調により当該非接触ＩＣチップ間でデータ通信を行うことにより、当該非接触ＩＣチップからのデータの読取り及び当該非接触ＩＣチップへのデータの書込みを非接触で行うことが可能になっている。また、このとき、非接触リーダライタ１Ａは、携帯電話機４内の特定機能（例えば、ブラウザ機能）を起動させるコマンドを携帯電話機（非接触ＩＣチップ）４に送信するようになっている。
【００２９】
また、非接触リーダライタ１Ａは、携帯電話機４との間で、当該携帯電話機４の固有番号（第１の固有情報の一例。例えば、当該携帯電話機２における非接触ＩＣチップ内に予め記憶された当該非接触ＩＣチップの固有番号が適用可能である、以下、これを「ＩＤｍ」という）を当該携帯機器４から読取るようになっている。なお、この固有情報は、携帯機器にユニークに付与される。
【００３０】
また、非接触リーダライタ１ＡのＲＯＭには、当該非接触リーダライタ１Ａの固有情報の一例としての非接触リーダライタ固有番号（多数の場所に設置された複数の非接触リーダライタを識別するために付与される番号であるが必ずしもユニークに採番しなくてもよい（番号が重複することもありえる）が予め記憶されるようになっている。
【００３１】
そして非接触リーダライタ１Ａは、上記記憶された非接触リーダライタ固有番号に、上記読取られたＩＤｍを付加して、情報提供サーバ３へ送信することもできる。
【００３２】
端末装置２Ａ（２Ｂ）（以下、代表して「端末装置２Ａ」とする。）は、ＣＰＵ、ＲＡＭ、ＲＯＭ（各種データ及び端末装置２Ａの動作を担うコンピュータプログラムを予め記録）等から構成された制御装置、ハードディスクドライブ等の記録装置、表示部（例えば、ディスプレイ）及びネットワークＮＷに接続するための通信装置等を備えたコンピュータである。
【００３３】
また端末装置２Ａは、例えばＷｅｂブラウザプログラムを実行することによりネットワークＮＷを介して情報提供サーバ３にアクセスし、当該情報提供サーバ３から提供された詳しくは後述する各種情報（提供情報）を表示部上に表示するようになっている。
【００３４】
また端末装置２Ａは、非接触リーダライタ１Ａを介して、携帯電話機４内に格納されているデータの読取り及び携帯電話機４へのデータの書込みを行うことが可能な装置である。
【００３５】
具体的には、端末装置２Ａは、上記記憶された非接触リーダライタ固有番号に、非接触リーダライタ１Ａを介して読取ったＩＤｍを付加して、情報提供サーバ３へ送信する。
【００３６】
なお、本実施形態では、非接触リーダライタ１Ａと端末装置２Ａは、それぞれ独立した個別の装置として構成されているが、これに限られず、非接触リーダライタ１Ａを内蔵する端末装置２Ａを適用してもよい。
【００３７】
［１−２．情報提供サーバ３及びデータベース３Ａの構成及び機能］
情報提供サーバ３は、ＣＰＵ（本実施形態における別閲覧端末用提供情報作成手段、別閲覧端末提供情報登録手段、端末装置情報受信手段、検索手段、別閲覧端末提供情報送信手段、提供情報アドレス送信手段、提供情報送信手段、携帯用提供情報送信手段、第２記憶手段、第３記憶手段、第２検索手段、及び提供情報要求受信手段の一例）、ＲＡＭ、ＲＯＭ（各種データ及び情報提供サーバ３の動作を担うコンピュータプログラムを予め記録）等から構成された制御装置、ハードディスクドライブ等の記録装置、及びネットワークＮＷに接続するための通信装置等を備えたサーバコンピュータである。かかる、情報提供サーバ３は、ＩＰアドレスが割り当てられ、ネットワークＮＷ（インターネット）に常時接続されている。
【００３８】
また、情報提供サーバ３の記録装置には、データベース３Ａが構築されている。
【００３９】
データベース３Ａには、端末装置２Ａ（２Ｂ）及び携帯電話機４に提供するための提供情報（例えば、広告情報）が登録されている。広告情報としては、例えば、店頭やキャンペーン会場における商品の広告情報（この場合、上記非接触リーダライタ１Ａは、例えば店頭やキャンペーン会場に設置）等が挙げられる。そして、情報提供サーバ３は、端末装置２Ａ（２Ｂ）又は携帯電話機４のアクセスに基づき、上記提供情報をネットワークＮＷを介して送信するようになっている。
【００４０】
さらに、データベース３Ａには、携帯電話機４が上記提供情報にアクセスするための携帯用アドレス情報の一例としてのＵＲＬ（Uniform Resource Locator）（以下、「携帯用ＵＲＬ」という）（つまり、アクセス先）と、上記非接触リーダライタ固有情報とを対応付けて非接触リーダライタ用送信ＵＲＬテーブルとして登録されている。
【００４１】
［１−３．携帯電話機４の構成及び機能］
携帯電話機４は、アンテナ、スピーカ、マイク、操作キー、ディスプレイ、及び電子回路基板（ＣＰＵ，ＲＡＭ，ＲＯＭ（各種データ及び携帯電話機２の動作を担うプログラムを予め記憶）等が実装）により構成されている。
【００４２】
図２は、携帯電話機４内の機能ブロックの一例を示す概念図である。
【００４３】
図２に示すように、携帯電話機４は、一般的な通信制御機能（例えば、Ｗ−ＣＤＭＡ又はＣＤＭＡ２０００の通信方式による）、ブラウザ機能（ＵＲＬを指定することで所定のサーバにアクセスして所定の情報を受ける（例えば、http（Hyper Text Transfer Protocol）による））、メーラ機能（例えば、メーラをユーザインターフェースとして、他の携帯電話機又はサーバ等との間でネットワークＮＷを介したデータの送受信を行う。）、携帯アプリ（携帯電話機の利用者が携帯電話機上で実行したい作業を実施する機能を直接的に有するソフトウェア（例えば、公知のトルカ（登録商標）等））等を有している。なお、携帯電話機４におけるこれらの機能は公知であるため詳しい説明を省略する。
【００４４】
更に、携帯電話機４は、上述した非接触ＩＣチップ（当該携帯電話機４におけるＣＰＵと電気的に接続されている）及びアンテナを搭載し、非接触リーダライタ１との間でデータ通信を行うことが可能になっている。また、携帯電話機４のＣＰＵは非接触ＩＣチップからの割込み処理を受付ける機能を有する（いわゆる、公知の「おサイフケータイ」（登録商標）の機能を有する）。
【００４５】
そして、非接触リーダライタ１から「携帯電話機４内のブラウザ機能を起動させる」コマンド及び携帯用ＵＲＬが当該携帯電話機４へ送信されると、かかるコマンド及び携帯用ＵＲＬを受取った非接触ＩＣチップは、携帯電話機４のＣＰＵに割込みをかけて携帯電話機４内のブラウザをＣＰＵに起動させる。こうして、非接触リーダライタ１から取得された携帯用ＵＲＬは、非接触ＩＣチップを介してＣＰＵに伝送され、携帯電話機４のディスプレイにハイパーリンクとして表示される。
【００４６】
これにより、携帯電話機４（ブラウザ）は、当該携帯用ＵＲＬを指定してネットワークＮＷを介して情報提供サーバ３にアクセスし、当該情報提供サーバ３からかかる携帯用ＵＲＬが示す提供情報（例えば商品等の広告情報の提供）を受け、ディスプレイ上に表示したり、スピーカから音声出力することになる。
【００４７】
［２．情報提供システムの動作］
次に、以上のように構成された情報提供システムＳにおける動作について、第１実施形態と第２実施形態に分けて説明する。
【００４８】
［２−１．第１実施形態］
先ず、図３を用いて、第１実施形態に係る情報提供システムＳのＰＣ用ＵＲＬ登録依頼を送信するまで（店頭（現地））についての動作例（図４）と、第１実施形態に係る情報提供システムＳの端末装置２ＢがＰＣ用ＵＲＬへアクセスし表示するまでの動作例（図５）と、第１実施形態に係る情報提供システムＳにおける処理及び情報の流れ等を示すシーケンス図とを対応付けて説明する。
【００４９】
図３は、第１実施形態に係る情報提供システムＳにおける処理及び情報の流れ等を示すシーケンス図であり、図４は、第１実施形態に係る情報提供システムＳのＰＣ用ＵＲＬ登録依頼を送信するまで（店頭（現地））についての動作例を示す概念図であり、図５は、第１実施形態に係る情報提供システムＳの端末装置２ＢがＰＣ用ＵＲＬへアクセスし表示するまでの動作例を示す概念図である。
【００５０】
図３において、例えば、非接触リーダライタ１Ａは、店頭に訪れた利用者が所有する携帯電話機４を検知すると、携帯電話機４のＩＤｍを読取り（ステップＳ１、図４のイ参照）、端末装置２Ａは、上記記憶された非接触リーダライタ固有番号に、上記読取られたＩＤｍを付加して、情報提供サーバ３へ送信する（ステップＳ２、図４のロ参照）。
【００５１】
情報提供サーバ３は、上記非接触リーダライタ固有番号及びＩＤｍを受信すると（ステップＳ３）、上述した非接触リーダライタ用ＵＲＬテーブル（図４の（Ａ）参照）を参照して、当該非接触リーダライタ固有番号に対応付けられた携帯用ＵＲＬを検索する（読取る）（ステップＳ４）。
【００５２】
上記非接触リーダライタ固有番号に対応付けられた携帯用ＵＲＬが得られた場合には、情報提供サーバ３は、得られた携帯用ＵＲＬを、当該ＩＤｍを付加して端末装置２Ａに送信する（ステップＳ５、図４のハ参照）。端末装置２Ａは、非接触リーダライタ１Ａと通信可能な範囲にある携帯のＩＤｍを読取りそれが前記携帯用ＵＲＬに付加されたＩＤｍと一致するかどうか検査して、一致するのであれば（同一の携帯電話器であれば）、ＩＤｍが付加された前記携帯用ＵＲＬを携帯電話機４のブラウザを起動するコマンドとともに携帯電話機４の非接触ＩＣチップに書き込む（ステップＳ６、図４のニ参照）。この結果携帯電話機４のブラウザが起動し、前記ＩＤｍが付加された携帯用ＵＲＬへのハイパーリンクが表示された画面（図示せず）が表示される。利用者がこのリンクを選択すると、今度は携帯電話機４から端末装置２Ａを経由せずサーバ３に対して直接に、目的の情報である提供情報を前記ＩＤｍを引数として要求するリクエストが発行され（図示せず）、その結果、サーバ３は、前記ＩＤｍが埋め込まれ別閲覧端末選択ボタン（別閲覧端末選択インターフェースの一例）を含んだ提供情報を携帯電話機４（アクセス要求元）へ返信する。
【００５３】
携帯電話機４は、上記提供情報をディスプレイ上に、図３に示すような携帯用表示画面例１０を表示する（図４の携帯用表示画面例参照）。
【００５４】
携帯用表示画面例１０には、上記提供情報として、店舗の取扱商品についての情報（店舗名たる「○○○ショップ」ではキャンペーンが行われていること）と、かかる利用者が任意にコメントを記載できる欄であるフリーコメント欄と、当該提供情報及びフリーコメント欄に入力された情報を端末装置２Ｂで受信し、ディスプレイ上に表示等する旨の指示を情報提供サーバ３へ送信する（以下、ＰＣ用ＵＲＬ登録依頼とする。）為の「ＰＣサイトで見る」ボタン（別閲覧端末選択ボタンの一例）等が表示されている。
【００５５】
そして、上記表示状態において、携帯電話機４の利用者が、フリーコメント欄に「25,000円」と入力し、「ＰＣサイトで見る」ボタンが選択されることにより、携帯電話機４は、情報提供サーバ３へ、表示されている提供情報及びフリーコメント欄に表示されている情報（25,000円）を、ＰＣ用ＵＲＬ登録依頼として送信する（ステップＳ７、図４のホ参照）。
【００５６】
このとき携帯電話機４は、ＰＣ用ＵＲＬ登録依頼に自己（携帯電話機４）のＩＤｍを付加して、別閲覧端末用提供情報登録要求として送信する（このＩＤｍは提供情報に埋め込まれたものである）。このように、別閲覧端末用提供情報登録要求（ＰＣ用ＵＲＬ登録依頼にＩＤｍを付加して）を送信することによって、情報提供サーバ３は、受信したＩＤｍから、ＰＣ用ＵＲＬ登録依頼を送信した携帯電話機４を特定することができる。
【００５７】
情報提供サーバ３は、かかるＰＣ用ＵＲＬ登録依頼を受信すると（ステップＳ８）、情報提供サーバ３は、例えばＣＧＩ等で記述されたＷｅｂサーバプログラムの制御のもと、上記表示されている提供情報及びフリーコメント欄に表示されている情報を、端末装置２ＢのＷｅｂブラウザによって表示可能とすべく、例えば、ＨＴＭＬ（HyperText  Markup  Language）言語で記述されたＷｅｂページ（別閲覧端末用提供情報の一例）を生成する。
【００５８】
そして、情報提供サーバ３は、端末装置２Ｂが上記生成されたＷｅｂページにアクセスするためのＰＣ用ＵＲＬ（作成した別閲覧端末用提供情報のアドレス情報の一例）（アクセス先）を生成する（ステップＳ９）。
【００５９】
次に、情報提供サーバ３は、上記ＰＣ用ＵＲＬと、上記ＰＣ用ＵＲＬ登録依頼を送信した携帯電話機４のＩＤｍを対応付けて、ＰＣ用送信ＵＲＬテーブルとして記憶する（ステップＳ１０、図４の（Ｂ）参照）。
【００６０】
そして、携帯電話機４の利用者が、携帯電話機４へ送信された提供情報及びフリーコメント欄に入力された情報を、自宅Ｕの端末装置２Ｂを用いて閲覧等するため（即ち、端末装置２Ｂによって、ＰＣ用ＵＲＬへアクセスする）には、まず、端末装置２Ｂは、情報提供サーバ３に設けられた、当該ＰＣ用ＵＲＬをダウンロードすることができる専用のサイト（以下、「ＰＣ用ＵＲＬダウンロードサイト」とする。）へアクセスする（図５のａ：アプリケーションＰＣブラウザ）。
【００６１】
かかるＰＣ用ＵＲＬダウンロードサイトは、端末装置２Ｂのブラウザ機能をユーザインターフェースとして、端末装置２ＢがＰＣ用ＵＲＬを受信するために情報提供サーバ３に設けられたサイトである。
【００６２】
具体的には、ＰＣ用ＵＲＬダウンロードサイトの利用者は、端末装置２Ｂのブラウザ機能を用いて、情報提供サーバ３へアクセスすると、情報提供サーバ３は、上記ＰＣ用ＵＲＬのダウンロードさせるための指示及び手順等を端末装置２Ｂのブラウザに表示させるべく、必要なデータを端末装置２Ｂへ送信する。そして、上記指示に従った場合には、情報提供サーバ３は、ＰＣ用ＵＲＬを検索し、端末装置２Ｂへ送信する。
【００６３】
このブラウザには、例えば、まず「ＰＣ用ＵＲＬのダウンロード要求」の有無を確認するコメントが表示されている。そして、利用者の操作により、ＰＣ用ＵＲＬのダウンロード要求がなされると、当該ブラウザには、ＩＤｍの入力を要求する旨の指示（例えば、「携帯電話機を非接触リーダライタに翳してください」等）が表示される。このときのブラウザ画面を表示させる頁データには端末装置上で動作する命令を記述したスクリプトが組み込まれていて、ＩＤｍの入力を要求する旨の指示を表示した後は、このスクリプトに記述されたコマンドにより入力イベント待ちとなる。
【００６４】
そして、携帯電話機４の利用者が、非接触リーダライタ装置１Ｂに携帯電話機４を翳すと、携帯電話機４は、ＩＤｍを、非接触リーダライタ装置１Ｂを介して、端末装置２Ｂへ読取らせる（ステップＳ１１、図５のへ参照）。
【００６５】
端末装置２Ｂは、上記ＩＤｍを読取るとと、前記スクリプトが端末装置２ＢのＣＰＵに解釈され実行されることにより、入力イベントが非接触リーダライタ装置１Ｂからのものであるかどうかを確認し、そうであることが確認されたならば、受付けたデータ（当該ＩＤｍ）を情報提供サーバ３へ送信する（ステップＳ１２、図５のト参照）。
【００６６】
なお、ＰＣ用ＵＲＬをダウンロードするために「ＰＣ用ＵＲＬダウンロードサイト」を設ける例を説明したが、これに限られるものではない。例えば、非接触リーダライタ１Ｂが携帯電話機４を検知した場合に、端末装置２Ｂが、当該携帯電話機４のＩＤｍを当該非接触リーダライタから受信し、当該ＩＤｍを情報提供サーバ３へ送信するようにしてもよい。この場合、ＩＤｍを受信した情報提供サーバ３は、ＰＣ用ＵＲＬを検索し、端末装置２Ｂへ送信する。
【００６７】
図３の説明に戻り、上記ＩＤｍを受信した情報提供サーバ３は、上述したＰＣ用送信ＵＲＬテーブルを参照して、受信したＩＤｍが対応付けられたＰＣ用ＵＲＬを検索する（ステップＳ１３、図５の（Ｂ）参照）。
【００６８】
受信したＩＤｍが対応付けられたＰＣ用ＵＲＬが検索された場合には、情報提供サーバ３は、検索されたＰＣ用ＵＲＬを、上記ＩＤｍを送りつけた端末装置２Ｂへ、送信する（ステップＳ１４、図５のチ参照）。
【００６９】
端末装置２Ｂは、情報提供サーバ３から送信される上記ＰＣ用ＵＲＬを受信すると、当該ＰＣ用ＵＲＬに示される上記提供情報等をディスプレイ上に、図３に示すようなＰＣ用表示画面例１１を表示する（ステップＳ１４、図５ｂ：ＰＣ用ＵＲＬ（ブックマーク情報）へのアクセス結果参照）。
【００７０】
ＰＣ用表示画面例１１には、携帯電話機４に表示された提供情報及びフリーコメント欄に表示されている情報（ＰＣ用ＵＲＬ登録依頼がされた情報）が表示される。
【００７１】
具体的には、携帯電話機４に送信された提供情報１０と同じ内容の情報であってフリーコメント欄に入力された情報（25,000円）を含むものが表示される。
【００７２】
なお、上記提供情報に表示される「ＰＣサイトで見る」ボタン及びフリーコメント欄は、任意に設定することができる。例えば、上記提供情報に含まれる画像データ又はテキストボックス毎に設けるようにしてもよい。
【００７３】
以上説明したように、上記第１実施形態によれば、情報提供サーバ３は、端末装置２Ｂから送信されるＩＤｍを受信すると、受信したＩＤｍに基づいて、当該ＩＤｍに対応付けられたＰＣ用ＵＲＬを端末装置２Ｂへ送信するように構成したので、携帯電話機４が他端末にて閲覧を望む当該情報を間違いなくその携帯電話機４を使用している利用者の端末装置（端末装置２Ｂ）へ提供できる。
【００７４】
また、情報提供サーバ３は、ＩＤｍ及び非接触リーダライタ１Ａの非接触リーダライタ固有番号を受信すると、非接触リーダライタ固有番号に対応付けられた携帯用ＵＲＬを、
当該ＩＤｍが示す携帯電話機へ送信するように構成したので、非接触リーダライタ装置が設置される場所に応じた情報を提供することが出来る。
【００７５】
また、情報提供サーバ３は、端末装置２Ｂに備えられる非接触リーダライタ１Ｂによって読取られたＩＤｍを、端末装置２Ｂを介して受信すると、受信したＩＤｍに基づいて、前記ＩＤｍに対応付けられたＰＣ用ＵＲＬを検索し、前記検索されたＰＣ用ＵＲＬを端末装置２Ｂへ送信するように構成したので、携帯電話機４が他端末にて閲覧を望む当該情報を間違いなくその携帯電話機４を使用している利用者の端末装置（端末装置２Ｂ）へ提供できる。
【００７６】
なお、情報提供サーバ３は、端末装置２Ｂから送信されるＩＤｍを受信すると、受信したＩＤｍに基づいて、当該ＩＤｍに対応付けられたＰＣ用ＵＲＬを、当該ＩＤｍに対応付けられたＰＣ用ＵＲＬを端末装置２Ｂへ送信する構成のみを適用するようにしてもよい。
【００７７】
かかる構成では、情報提供サーバ３は、上述したＩＤｍが付加された前記携帯用ＵＲＬを携帯電話機４のブラウザを起動するコマンドを送信することなく（携帯電話機４がＰＣ登録依頼を送信することなく）、端末装置２Ｂから送信されるＩＤｍを受信することを条件に、利用者が端末装置２Ｂにおいて提供を望む当該情報を端末装置２Ｂへ提供することができる。
【００７８】
［２−２．第２実施形態］
次に、図６を用いて、第２実施形態に係る情報提供システムＳのＰＣ用ＵＲＬ登録依頼を送信するまで（店頭（現地））についての動作例（図７）と、第１実施形態に係る情報提供システムＳの端末装置２ＢがＰＣ用ＵＲＬへアクセスし表示するまでの動作例（図８）と、第２実施形態に係る情報提供システムＳにおける処理及び情報の流れ等を示すシーケンス図とを対応付けて説明する。
【００７９】
図６は、第２実施形態に係る情報提供システムＳにおける処理及び情報の流れ等を示すシーケンス図であり、図７は、第２実施形態に係る情報提供システムＳのＰＣ用ＵＲＬ登録依頼を送信するまでについての動作例を示す概念図であり、図８は、第１実施形態に係る情報提供システムＳの端末装置２ＢがＰＣ用ＵＲＬへアクセスし表示するまでの動作例を示す概念図である。
【００８０】
なお、第２実施形態にかかる情報提供システムＳでは、図７に示すように、店頭には非接触リーダライタ１Ａ及び端末装置１Ａは用いられない。従って、携帯電話機４は、当該携帯電話機４の利用者の操作に基づいて、携帯電波が接続可能な任意の場所でブラウザ機能により、情報提供サーバ３へアクセスし、上記提供情報を受信する。そして、携帯電話機４は、上記提供情報をディスプレイ上に、図６に示すような携帯用表示画面例２０を表示する（図７の携帯用表示画面例参照）。
【００８１】
携帯用表示画面例２０には、上述した携帯用表示画面例１０と同様の情報が表示され、同様の機能を有するものであるため、詳しい説明は省略する。
【００８２】
そして、携帯電話機４は、「ＰＣサイトで見る」ボタンが選択されることにより、情報提供サーバ３へ、表示されている提供情報及びフリーコメント欄に表示されている情報（25,000円）を、ＰＣ用ＵＲＬ登録依頼として送信する（ステップＳ２１、図７のイ参照）。
【００８３】
なお、このとき携帯電話機４は、上記第１実施形態と異なり、ＰＣ用ＵＲＬ登録依頼に自己（携帯電話機４）の固有情報を示す情報であって、上記ＩＤｍとは異なる固有情報（本願の第２固有情報の一例。例えば、携帯電話機の電話番号と紐づいた「携帯電話の個体識別番号」であり、公式コンテンツの課金等のために携帯電話通信会社が発行するもので、携帯電話機を他の携帯電話機から識別するための固有番号。以下、これを「キャリアＵＩＤ」という。）を付加して、情報提供サーバ３へ送信する。
【００８４】
データベース３Ａには、携帯電話機４のＩＤｍと、上記キャリアＵＩＤとが対応付けて識別情報テーブルとして登録されている。
【００８５】
そして、情報管理サーバ３は、上記識別情報テーブルを参照して、携帯電話機４によって送信されるキャリアＵＩＤに対応するＩＤｍを検索する。
【００８６】
このようにして、情報管理サーバ３は、受信したキャリアＵＩＤに基づいて、携帯電話機４のＩＤｍを特定することができる。
【００８７】
図６の説明に戻り、情報提供サーバ３は、キャリアＵＩＤ及びＰＣ用登録依頼を受信すると（ステップＳ２２）、上述したＷｅｂページを生成し、端末装置２Ｂが上記生成されたＷｅｂページにアクセスするためのＰＣ用ＵＲＬを生成する（ステップＳ２３）。
【００８８】
そして、情報提供サーバ３は、上記ＰＣ用ＵＲＬと、既にＩＤｍと対応付けられた上記ＰＣ用ＵＲＬ登録依頼を送信した携帯電話機４のキャリアＵＩＤを対応付けて、第２ＰＣ用送信ＵＲＬテーブルとして記憶する（ステップＳ２４、図７の（Ｄ）参照）。
【００８９】
そして、携帯電話機４の利用者が、携帯電話機４へ送信された提供情報及びフリーコメント欄に入力された情報を、自宅Ｕの端末装置２Ｂを用いて閲覧等すべく、まず、端末装置２Ｂは、携帯電話機４の利用者の端末装置２Ｂの操作によって、上記ＰＣ用ＵＲＬダウンロードサイトにアクセスする。当該サイトを通じて、ＰＣ用ＵＲＬの受信要求がされると、かかるブラウザには、ＩＤｍの入力を要求する旨の指示が表示される。このときのブラウザ画面を表示させる頁データには端末装置上で動作する命令を記述したスクリプトが組み込まれていて、ＩＤｍの入力を要求する旨の指示を表示した後は、このスクリプトに記述されたコマンドにより入力イベント待ちとなる。
【００９０】
そして、携帯電話機４の利用者が、非接触リーダライタ装置１Ｂに携帯電話機４を翳すと、携帯電話機４は、ＩＤｍを、非接触リーダライタ装置１Ｂを介して、端末装置２Ｂへ読取らせる（ステップＳ２５、図８のロ参照）。
【００９１】
端末装置２Ｂは、上記ＩＤｍを読取るとと、前記スクリプトが端末装置２ＢのＣＰＵに解釈され実行されることにより、入力イベントが非接触リーダライタ装置１Ｂからのものであるかどうかを確認し、そうであることが確認されたならば、受付けたデータ（当該ＩＤｍ）を情報提供サーバ３へ送信する（ステップＳ２６、図８のハ参照）。
【００９２】
上記ＩＤｍを受信した情報提供サーバ３は、上述した第２ＰＣ用送信ＵＲＬテーブルを参照して、受信したＩＤｍがキャリアＵＩＤと共に対応付けられたＰＣ用ＵＲＬを検索する（ステップＳ２７、図７の（Ｄ）参照）。
【００９３】
受信したＩＤｍがキャリアＵＩＤと共に対応付けられたＰＣ用ＵＲＬが検索された場合には、情報提供サーバ３は、検索されたＰＣ用ＵＲＬを、上記ＩＤｍが送信された端末装置２Ｂへ、送信する（ステップＳ２８、図８のニ参照）。
【００９４】
端末装置２Ｂは、情報提供サーバ３から送信される上記ＰＣ用ＵＲＬを受信すると、Ｗｅｂブラウザを起動させ、当該ＰＣ用ＵＲＬに示される上記提供情報等をディスプレイ上に、図６に示すようなＰＣ用表示画面例２１を表示する（図８ｂ：ＰＣ用ＵＲＬ（ブックマーク情報）へのアクセス結果参照）。
【００９５】
携帯用表示画面例２１には、上述したＰＣ用表示画面例１１と同様の情報が表示されるため、詳しい説明は省略するが、例えば、携帯電話機４に表示された提供情報及びフリーコメント欄に表示されている情報が表示される。
【００９６】
以上説明したように、上記第２実施形態によれば、情報提供サーバ３は、キャリアＵＩＤを受信すると、携帯電話機４に送信した提供情報にアクセスするためのＰＣ用アドレス情報と、前記携帯機器の第２固有情報とを対応付けて記憶するように構成したので、携帯電話機４において提供された情報のうち、利用者が端末装置２Ｂにおいて提供を望む当該情報を端末装置２Ｂへ提供することにより、互いに異なる装置間における情報の提供を可能とする。
【００９７】
また、情報提供サーバ３は、受信したＩＤｍに基づいて、前記キャリアＵＩＤに対応付けられたＰＣ用ＵＲＬを検索し、端末装置２Ｂへ送信するように構成したので、非接触リーダライタ装置１Ａを用いない場合においても、携帯電話機４において提供された情報のうち、利用者が端末装置２Ｂにおいて提供を望む当該情報を端末装置２Ｂへ提供することにより、互いに異なる装置間における情報の提供を可能とする。
【符号の説明】
【００９８】
１Ａ、１Ｂ    非接触リーダライタ
２Ａ、２Ｂ    端末装置
３            管理サーバ
３Ａ          データベース（ＤＢ）
４            携帯電話機
Ｔ            店頭
Ｕ            自宅
ＮＷ          ネットワーク
Ｓ            情報提供システム
【図１】
2011076500.tif 000003
【図２】
2011076500.tif 000004
【図３】
2011076500.tif 000005
【図４】
2011076500.tif 000006
【図５】
2011076500.tif 000007
【図６】
2011076500.tif 000008
【図７】
2011076500.tif 000009
【図８】
2011076500.tif 000010